(57)【要約】  【課題】取扱い性に優れたカバーフィルム付きＰＴＰ包装体を提供する。【解決手段】内容物を収容するための収容部が形成された容器用シートと、当該収容部の蓋材シートからなるＰＴＰ包装体であって、（１）蓋材シートが、アルミニウム箔層を含む基材と剥離可能なカバーフィルムとの積層体であり、（２）蓋材シートの基材側に容器用シートが積層されており、（３）基材とカバーフィルムとの界面部が、ａ）強接着処理領域、ｂ）当該強接着処理領域よりも弱い接着処理が施されている弱接着処理領域及びｃ）接着処理がなされていない非接着処理領域からなり、（４）収容部の一部又は全部が、弱接着処理領域上に存在する、ことを特徴とするＰＴＰ包装体に係る。【選択図】なし【特許請求の範囲】
【請求項１】
内容物を収容するための収容部が形成された容器用シートと、当該収容部の蓋材シートからなるＰＴＰ包装体であって、
（１）蓋材シートが、アルミニウム箔層を含む基材と剥離可能なカバーフィルムとの積層体であり、
（２）蓋材シートの基材側に容器用シートが積層されており、
（３）基材とカバーフィルムとの界面部が、ａ）強接着処理領域及びｂ）当該強接着処理領域よりも弱い接着処理が施されている弱接着処理領域からなり、
（４）収容部の一部又は全部が、弱接着処理領域上に存在する、
ことを特徴とするＰＴＰ包装体。
【請求項２】
強接着処理領域の剥離強度が２．０（Ｎ／１５ｍｍ巾）以上であり、弱接着処理領域の剥離強度が０．５（Ｎ／１５ｍｍ巾）以上２．０（Ｎ／１５ｍｍ巾）未満である請求項１記載のＰＴＰ包装体。
【請求項３】
内容物を収容するための収容部が形成された容器用シートと、当該収容部の蓋材シートからなるＰＴＰ包装体であって、
（１）蓋材シートが、アルミニウム箔層を含む基材と剥離可能なカバーフィルムとの積層体であり、
（２）蓋材シートの基材側に容器用シートが積層されており、
（３）基材とカバーフィルムとの界面部が、ａ）強接着処理領域、ｂ）当該強接着処理領域よりも弱い接着処理が施されている弱接着処理領域及びｃ）接着処理がなされていない非接着処理領域からなり、
（４）収容部の一部又は全部が、弱接着処理領域上に存在する、
ことを特徴とするＰＴＰ包装体。
【請求項４】
強接着処理領域の剥離強度が２．０（Ｎ／１５ｍｍ巾）以上であり、弱接着処理領域の剥離強度が０．５（Ｎ／１５ｍｍ巾）以上２．０（Ｎ／１５ｍｍ巾）未満であり、非接着処理領域の剥離強度が０．５（Ｎ／１５ｍｍ巾）未満である請求項１記載のＰＴＰ包装体。
【請求項５】
強接着処理領域及び非接着処理領域が、弱接着処理領域を介して隔離された状態で形成されている請求項３又は４に記載のＰＴＰ包装体。
【請求項６】
強接着処理領域、弱接着処理領域及び非接着処理領域が、順に形成されてストライプ状をなしている請求項５記載のＰＴＰ包装体。
【請求項７】
強接着処理領域を介して、両側にそれぞれ弱接着処理領域が形成され、さらに当該弱接着処理領域に隣接して非接着処理領域がそれぞれ形成されており、各弱接着処理領域上に収容部がそれぞれ１又は２以上配置されている請求項６記載のＰＴＰ包装体。
【請求項８】
ひとつの弱接着処理領域に、２以上の収容部が存在する請求項１〜７のいずれかに記載のＰＴＰ包装体。
【請求項９】
非接着処理領域が掴み代となるように、当該領域にミシン目加工が施されている請求項３〜８のいずれかに記載のＰＴＰ包装体。
【請求項１０】
強接着処理領域が接着剤層により構成され、弱接着処理領域が接着剤層上に剥離コート層を点在させることにより構成され、非接着処理領域が接着剤層上の全面に剥離コート層を積層させることにより構成されている請求項３〜９のいずれかに記載のＰＴＰ包装体。
【請求項１１】
基材が、少なくともアルミニウム箔層、印刷層及び透明保護層を順に有する請求項１〜１０のいずれかに記載のＰＴＰ包装体。
【請求項１２】
収容部に内容物が収容されてなる請求項１〜１１のいずれかに記載のＰＴＰ包装体。
【発明の詳細な説明】
【技術分野】
【０００１】
本発明は、医薬品、芳香剤、化学品、菓子類等の包装体に関する。特に、錠剤、カプセル剤等の薬剤を収容・保存するプレススルーパックに関する。本発明は、カバーフィルム付きのＰＴＰ包装体に関する。
【背景技術】
【０００２】
従来のプレススルーパック包装体（以下「ＰＴＰ包装体」という。）は、開封の容易さに重点を置いて設計されており、老人や子供であっても簡単に開封でき、内容物を取り出すことができる。そのため、従来のＰＴＰ包装体では、内容物の誤飲等が生じるおそれがある。
【０００３】
これまでのＰＴＰ包装体としては、例えばＰＴＰ包装体の蓋材として印刷層、コーティング層を有するアルミニウム箔等のように容易に破れる素材の外側にさらにもう１層を保護層として設ける方法が提案されている（特許文献１）。
【０００４】
この包装体では、接着層と保護層（カバーフィルム）の間に剥離層を設け、比較的弱い力で保護層が剥離できるようにされている。内容物を取り出すためには、まず保護層を剥がした後、アルミニウム箔を押し破ることにより内容物を取り出すことができる。
【０００５】
しかしながら、上記方法では、保護層を剥離する場合に保護層全体が剥がれてしまうため、剥がされた保護層が小さな異物片となり、ゴミとして散乱したり、場合によっては幼児がそれを誤飲するおそれもある。
【０００６】
他方、現在使用されているＰＴＰ包装体は、内容物を押し出さずに容器のまま飲み込んでしまう事故を防止するために２容器分がつながった状態で構成されている。このため、保護層を剥離するときに２容器分をまとめて剥がさなければならず、残りの１容器については保護層がない状態となってしまう。
【０００７】
また、上記方法では、保護層を剥がすための「つかみしろ」を出しておく必要があるが、接着層と保護層とが全体的に接着剤で積層されているため、「つかみしろ」を出すことは容易でない。
【特許文献１】登録実用新案第２５１２１４２号公報
【発明の開示】
【発明が解決しようとする課題】
【０００８】
従って、本発明の主な目的は、取扱い性に優れたカバーフィルム付きＰＴＰ包装体を提供することにある。
【課題を解決するための手段】
【０００９】
本発明者は、従来技術の問題点を解決するために鋭意研究を重ねた結果、特定の構成を採用することによって上記目的を達成できることを見出し、本発明を完成するに至った。
【００１０】
すなわち、本発明は、下記のＰＴＰ包装体に係る。
【００１１】
１．  内容物を収容するための収容部が形成された容器用シートと、当該収容部の蓋材シートからなるＰＴＰ包装体であって、
（１）蓋材シートが、アルミニウム箔層を含む基材と剥離可能なカバーフィルムとの積層体であり、
（２）蓋材シートの基材側に容器用シートが積層されており、
（３）基材とカバーフィルムとの界面部が、ａ）強接着処理領域、及びｂ）当該強接着処理領域よりも弱い接着処理が施されている弱接着処理領域からなり、
（４）収容部の一部又は全部が、弱接着処理領域上に存在する、
ことを特徴とするＰＴＰ包装体（実施形態１）。
【００１２】
２．  強接着処理領域の剥離強度が２．０（Ｎ／１５ｍｍ巾）以上であり、弱接着処理領域の剥離強度が０．５（Ｎ／１５ｍｍ巾）以上２．０（Ｎ／１５ｍｍ巾）未満である前記項１記載のＰＴＰ包装体。
【００１３】
３．  内容物を収容するための収容部が形成された容器用シートと、当該収容部の蓋材シートからなるＰＴＰ包装体であって、
（１）蓋材シートが、アルミニウム箔層を含む基材と剥離可能なカバーフィルムとの積層体であり、
（２）蓋材シートの基材側に容器用シートが積層されており、
（３）基材とカバーフィルムとの界面部が、ａ）強接着処理領域、ｂ）当該強接着処理領域よりも弱い接着処理が施されている弱接着処理領域及びｃ）接着処理がなされていない非接着処理領域からなり、
（４）収容部の一部又は全部が、弱接着処理領域上に存在する、
ことを特徴とするＰＴＰ包装体（実施形態２）。
【００１４】
４．  強接着処理領域の剥離強度が２．０（Ｎ／１５ｍｍ巾）以上であり、弱接着処理領域の剥離強度が０．５（Ｎ／１５ｍｍ巾）以上２．０（Ｎ／１５ｍｍ巾）未満であり、非接着処理領域の剥離強度が０．５（Ｎ／１５ｍｍ巾）未満である前記項３記載のＰＴＰ包装体。
【００１５】
５．  強接着処理領域及び非接着処理領域が、弱接着処理領域を介して隔離された状態で形成されている前記項３又は４に記載のＰＴＰ包装体。
【００１６】
６．  強接着処理領域、弱接着処理領域及び非接着処理領域が、順に形成されてストライプ状をなしている前記項５記載のＰＴＰ包装体。
【００１７】
７．  強接着処理領域を介して、両側にそれぞれ弱接着処理領域が形成され、さらに当該弱接着処理領域に隣接して非接着処理領域がそれぞれ形成されており、各弱接着処理領域上に収容部がそれぞれ１又は２以上配置されている前記項６記載のＰＴＰ包装体。
【００１８】
８．  ひとつの弱接着処理領域に、２以上の収容部が存在する前記項１〜７のいずれかに記載のＰＴＰ包装体。
【００１９】
９．  非接着処理領域が掴み代となるように、当該領域にミシン目加工が施されている前記項３〜８のいずれかに記載のＰＴＰ包装体。
【００２０】
１０．  強接着処理領域が接着剤層により構成され、弱接着処理領域が接着剤層上に剥離コート層を点在させることにより構成され、非接着処理領域が接着剤層上の全面に剥離コート層を積層させることにより構成されている前記項３〜９のいずれかに記載のＰＴＰ包装体。
【００２１】
１１．  基材が、少なくともアルミニウム箔層、印刷層及び透明保護層を順に有する前記項１〜１０のいずれかに記載のＰＴＰ包装体。
【００２２】
１２．  内容物を収容するための収容部が形成された容器用シートにおける当該収容部の蓋材シートであって、
（１）蓋材シートが、アルミニウム箔層を含む基材と剥離可能なカバーフィルムとの積層体であり、
（２）基材とカバーフィルムとの界面部が、ａ）強接着処理領域及びｂ）当該強接着処理領域よりも弱い接着処理が施されている弱接着処理領域からなる、
ことを特徴とする蓋材シート。
【００２３】
１３．  強接着処理領域の剥離強度が２．０（Ｎ／１５ｍｍ巾）以上であり、弱接着処理領域の剥離強度が０．５（Ｎ／１５ｍｍ巾）以上２．０（Ｎ／１５ｍｍ巾）未満である前記項１２記載の蓋材シート。
【００２４】
１４．  内容物を収容するための収容部が形成された容器用シートにおける当該収容部の蓋材シートであって、
（１）蓋材シートが、アルミニウム箔層を含む基材と剥離可能なカバーフィルムとの積層体であり、
（２）基材とカバーフィルムとの界面部が、ａ）強接着処理領域、ｂ）当該強接着処理領域よりも弱い接着処理が施されている弱接着処理領域及びｃ）接着処理がなされていない非接着処理領域からなる、
ことを特徴とする蓋材シート。
【００２５】
１５．  強接着処理領域の剥離強度が２．０（Ｎ／１５ｍｍ巾）以上であり、弱接着処理領域の剥離強度が０．５（Ｎ／１５ｍｍ巾）以上２．０（Ｎ／１５ｍｍ巾）未満であり、非接着処理領域の剥離強度が０．５（Ｎ／１５ｍｍ巾）未満である前記項１４記載の蓋材シート。
【００２６】
１６．  強接着処理領域及び非接着処理領域が、弱接着処理領域を介して隔離された状態で形成されている前記項１４又は１５に記載の蓋材シート。
【００２７】
１７．  強接着処理領域、弱接着処理領域及び非接着処理領域が、順に形成されてストライプ状をなしている前記項１６記載の蓋材シート。
【００２８】
１８．  強接着処理領域を介して、両側にそれぞれ弱接着処理領域が形成され、さらに当該弱接着処理領域に隣接して非接着処理領域がそれぞれ形成されており、各弱接着処理領域上に収容部がそれぞれ１又は２以上配置されている前記項１７記載の蓋材シート。
【００２９】
１９．  ひとつの弱接着処理領域に、２以上の収容部が存在する前記項１２〜１６のいずれかに記載の蓋材シート。
【００３０】
２０．  非接着処理領域が掴み代となるように、当該領域にミシン目加工が施されている前記項１４〜１９のいずれかに記載の蓋材シート。
【００３１】
２１．  強接着処理領域が接着剤層により構成され、弱接着処理領域が接着剤層上に剥離コート層を点在させることにより構成され、非接着処理領域が接着剤層上の全面に剥離コート層を積層させることにより構成されている前記項１４〜２０のいずれかに記載の蓋材シート。
【００３２】
２２．  基材が、少なくともアルミニウム箔層、印刷層及び透明保護層を順に有する前記項１２〜２１のいずれかに記載の蓋材シート。
【発明の効果】
【００３３】
本発明ＰＴＰ包装体によれば、次のような効果を達成できる。
（１）本発明包装体では、カバーフィルムを剥がした後はカバーフィルムの一部が強接着処理領域で包装体本体に固着しているので、内容物をすべて取り出した後の包装体と一緒に廃棄すれば良い。
（２）従来品では、保護層を２容器分がまとめて剥がされてしまう。このため、１容器分の内容物を使用した後、残りの１容器分については保護層がすでに剥離した状態になってしまい、保護層を設けた意味が半減されてしまう。
【００３４】
これに対し、本発明ＰＴＰ包装体では、例えば包装体ミシン目で分割し、２容器分の個別包装とした場合の当該２容器の中間部分に剥離し難い強接着処理領域を設けることにより、内容物を取り出す際に剥がされるカバーフィルムは１容器分だけとなり、残りの容器はカバーフィルムによる保護が維持されている。
（３）本発明ＰＴＰ包装体によれば、非接着処理領域を存在させた場合は「つかみしろ」をより容易に出すことができ、カバーフィルムを容易に剥離して素早く内容物を取り出すことができる。
（４）従来品では、保護層の片側全面に水玉状の剥離層が設けてあり、保護層の接着側に印刷等を施した場合、保護層を剥離した後にその印刷等が保護層と包装体（基材側）の両側に分離される。そのため、文字等の認識が困難となり、実用上の障害となる。これを解決するために保護層の外側（接着面と反対側）に印刷等を施すことも考えられるが、表層にある印刷層が何らかの原因で欠落した場合、医薬品の包装体として致命的な欠陥となる。
【００３５】
これに対し、無接着処理領域を設けた本発明ＰＴＰ包装体では、無接着処理領域が界面部に設けられているので、当該領域に相当する部分に印刷を施せば、印刷層がカバーフィルム側又は基材側のどちらかに完全に追従する結果、文字、絵柄等を確実に識別することができる。また、剥離層を接着剤より容器側に施すことによっても印刷層が接着剤とともにカバーフィルムに追従し、文字、絵柄を確実に識別することができる。
【発明を実施するための最良の形態】
【００３６】
本発明のＰＴＰ包装体は、前記の実施形態１及び実施形態２を包含するが、両者は非接着処理領域の有無に違いがあり、実施形態１は非接着処理領域がない包装体であり、実施形態２は非接着処理領域を有する包装体である。以下、本発明では、実施形態２を説明するが、実施形態１は実施形態２に準じて実施することができる。
【００３７】
実施形態２のＰＴＰ包装体は、内容物を収容するための収容部が形成された容器用シートと、当該収容部の蓋材シートからなるＰＴＰ包装体であって、
（１）蓋材シートが、アルミニウム箔層を含む基材と剥離可能なカバーフィルムとの積層体であり、
（２）蓋材シートの基材側に容器用シートが積層されており、
（３）基材とカバーフィルムとの界面部が、ａ）強接着処理領域、ｂ）当該強接着処理領域よりも弱い接着処理が施されている弱接着処理領域及びｃ）接着処理がなされていない非接着処理領域からなり、
（４）収容部の一部又は全部が、弱接着処理領域上に存在する、
ことを特徴とする。
【００３８】
図１に本発明ＰＴＰ包装体の断面構造を示す。本発明包装体の基本構成は、容器用シート１と蓋材シート２からなる。蓋材シート２は、基材３及びカバーフィルム５が積層されている。容器用シート１は、蓋材シート２の基材側に積層されている。基材とカバーフィルムとの間が界面部４となる。
【００３９】
本発明では、特に界面部４が、ａ）強接着処理領域、ｂ）当該強接着処理領域よりも弱い接着処理が施されている弱接着処理領域及びｃ）接着処理がなされていない非接着処理領域からなる。そして、収容部の一部又は全部（好ましくは全部）が、弱接着処理領域上に存在している。弱接着処理領域を設けることにより、収容部が容易に開封されることがなくなる。また、強接着処理領域があるため、カバーフィルムが蓋材シートから分離することがなくなる。
【００４０】
各領域の剥離強度（接着強度）は、ＰＴＰ包装体の用途、使用条件等に応じて適宜設定できるが、特に強接着処理領域の剥離強度が２．０（Ｎ／１５ｍｍ巾）以上であり、弱接着処理領域の剥離強度が０．５（Ｎ／１５ｍｍ巾）以上２．０（Ｎ／１５ｍｍ巾）未満であり、非接着処理領域の剥離強度が０．５（Ｎ／１５ｍｍ巾）未満とすることが望ましい。
【００４１】
各領域の形成方法は、所定の接着状態が確保できる限りは特に制限されない。例えば、強接着処理領域は全面的に接着剤層とし、弱接着処理領域は接着剤層を部分的（例えば点在させる）に形成し、非接着処理層は接着剤層が存在（又は隣接する層に直接接触）しないようにすれば良い。特に、本発明では、剥離コート層を用いる方法が製造工程上好ましい。具体的には、接着処理領域が接着剤層により構成され、弱接着処理領域が接着剤層上に剥離コート層を点在させることにより構成され、非接着処理領域が接着剤層上の全面に剥離コート層を積層させることにより構成されていることが望ましい。
【００４２】
各領域のレイアウトも、ＰＴＰ包装体の用途、使用目的、内容物の形状・大きさ等に応じて適宜決定できる。特に、本発明では、強接着処理領域及び非接着処理領域が、弱接着処理領域を介して互いに隔離されていることが望ましい。これにより、カバーフィルムを剥離するに際して、段階的に剥離強度が高くなる構成にできるため、本発明の目的をより効果的に達成することができる。上記のような隔離がなされている限りは、どのようなレイアウトでも良いが、特に強接着処理領域、弱接着処理領域及び非接着処理領域が、ストライプ状（縦縞状）に形成されていることがより望ましい。すなわち、ＰＴＰ包装体を上方からみた場合（平面図で見た場合）において、各領域により縞模様が形成されているようにすることが好ましい。
【００４３】
この場合、ストライプ状に形成された強接着処理領域、弱接着処理領域及び非接着処理領域において強接着処理領域を介して、両側にそれぞれ弱接着処理領域が形成され、さらに当該弱接着処理領域に隣接して非接着処理領域がそれぞれ形成されており、各弱接着処理領域上に収容部がそれぞれ配置されていることが好ましい。
【００４４】
この実施の形態の一例を図２に示す。図２は、収容部の上から包装体を見た図である。この実施形態では、向かって右端から非接着処理領域１１、弱接着処理領域１２、強接着処理領域１３、弱接着処理領域１４及び非接着処理領域１５を１単位として、それに隣接して弱接着処理領域１６、強接着処理領域１７、弱接着処理領域１８及び非接着処理領域１９がそれぞれ設けられており、ストライプ状をなしている。強接着処理領域１３及び１７は、それぞれの両側に弱接着処理領域１２及び１４ならびに１６及び１８がそれぞれ形成されている。上記単位は、１又は２以上繰り返して連結することもできる。図２の各弱接着処理領域には、収容部が２つずつ配置されているが、１つずつでも良いし、あるいは３つ以上であっても良い。各弱接着処理領域に配置されている２つの収容部には、その中間点にミシン目２０（キリトリ線）を容器用シート側から入れても良い。同様に、非接着処理領域にも、「つかみしろ」をより容易に取り出せるようにカバーフィルム側からミシン目を入れることもできる。この包装体では、例えば非接着処理領域１１の一部を「つかみしろ」としてカバーシートを剥離すれば、弱接着処理領域１２のどちらか任意の収容部の内容物ａ又はｂを取り出すことができる。内容物ａを取り出した場合には、さらにカバーフィルムを剥が続けて強接着処理領域１３まで到達すると剥離しにくくなり、そこで剥離を止めることができる結果、内容物ｃは収容されたままになる。一方、内容物ｃを取り出す場合には、非接着処理領域１５を同様に剥離すれば、内容物ｃだけを取り出すことができる。
【００４５】
前記のように、本発明ＰＴＰ包装体では、必要に応じて非接着処理領域が「つかみしろ（掴み代）」となるように、当該領域にミシン目加工（貫通ミシン目又は切れ目）が施されていても良い。これにより、剥離を容易に行うことができる。ミシン目加工の形態は、「つかみしろ」となるような形態であれば特に限定されない。例えば、波型等の凹凸状の形状となるように加工することが好ましい。なお、ミシン目加工の位置は、非接着処理領域に限定されることはない。例えば、非接着処理領域を設けない場合は、弱接着処理領域に施すことも可能である。
【００４６】
次に、本発明のＰＴＰ包装体の積層構造について具体的に説明する。基本構成は、前記のとおり、容器用シート及び蓋材シートから構成される。さらに、蓋材シートは基材とカバーフィルムにより構成される。
【００４７】
図３に具体的な積層構造の一例を示す。図３の包装体では、順に「カバーフィルム６／剥離コート層７／接着剤層８／透明保護層９／印刷層１０／アルミニウム箔層１１／シーラントコート層１２／容器用シート」からなる構成が挙げられる。この場合、界面部は、剥離コート層７及び接着剤層８により形成されており、この界面部でカバーフィルム６が剥がれる。
【００４８】
カバーフィルム
カバーフィルムは、公知のＰＴＰ包装体で使用されている材料を適用することてができる。例えば、ポリエチレンテレフタレート（ＰＥＴ）、ポリプロピレン等の樹脂フィルムが挙げられるほか、例えば透明保護層／アルミニウム箔／接着剤層／ＰＥＴ層からなるラミネート品であっても良い。
【００４９】
カバーフィルムの厚みは、ＰＴＰ包装体の用途、カバーフィルムの材質等によって異なる。例えば、通常の充填機によってシールすることを考慮する場合には、一般的に１６〜２５μｍ程度とすることが望ましい。
【００５０】
剥離コート層
剥離コート層は、剥離コート剤により形成することができる。剥離コート剤としては、例えばアクリル系、シリコン系、フッ素系等の公知の剥離コート剤を使用することができる。
【００５１】
剥離コート層は、接着剤層上に形成され、全面塗り（いわゆるベタ塗り）とすれば非接着状態とすることができる。また、部分的に形成する場合には、その占有面積に応じた剥離性（易剥離性）を付与することができる。従って、本発明では、強接着処理層の形成では剥離コート層を設けず、弱接着処理層では部分コートとし、非接着処理領域では全面塗りとすれば良い。特に「剥離コート層なし／部分コート（水玉模様等）／全面塗り」でストライプ状を形成すれば、強接着処理領域／弱接着処理領域／非接着処理領域のストライプが得られる。ストライプ状とすれば、見当合わせ（位置合わせ）が容易であることから、各層を構成する原反シートの長手方向（巻き取り方向、以下同じ。）と平行になるようなストライプとすることが好ましい。もちろん、ストライプの方向は特に制限されるものではなく、原反の長手方向と垂直になるようなストライプであっても良い。
【００５２】
剥離コート剤の塗布量は限定されないが、ベタ塗り部（無接着領域）では乾燥後重量で０．３〜１０ｇ／ｍ2程度、部分コート部（弱接着領域）では乾燥後重量で０．１〜３ｇ／ｍ2程度となるようにすることが望ましい。
【００５３】
剥離コート層の形成方法も限定されず、ハケ塗り、ローラー、スプレー等の塗布方法のほか、グラビア印刷、スクリーン印刷等の公知の印刷方法も適用することができる。
【００５４】
接着剤層
接着剤層は、公知の接着剤によって形成することができる。例えば、ポリウレタン系接着剤及びポリエステル系接着剤の少なくとも１種の接着剤を好適に用いることができる。接着剤の塗布量は限定的でないが、一般的には乾燥後重量で０．５〜１５ｇ／ｍ2程度となるようにすれば良い。
【００５５】
印刷層
各印刷層は、本発明では任意的な層である。印刷層の形成方法は限定的でなく、例えばグラビア印刷、スクリーン印刷、オフセット印刷等の公知の印刷方法に従えば良い。印刷層を形成する位置も限定的でなく、基材、カバーフィルム等のいずれであっても良く、また２つ以上の印刷層を形成しても良い。
【００５６】
また、印刷する内容は特に制限されず、ＰＴＰ包装体の用途、使用目的等に応じて適宜決定できる。例えば、医薬品を包装する場合には、いずれかの印刷層に薬剤名、注意書き等を印刷することができる。
【００５７】
透明保護層
透明保護層（いわゆるＯＰ層：オーバープリント層）は、特に印刷層を保護する目的で必要に応じて形成することができる。従って、例えば印刷層がカバーフィルム及び基材の双方に形成されている場合は、それぞれを保護するために透明保護層をそれぞれ設けることができる。
【００５８】
透明保護層を形成する材質としては、公知のＰＴＰ包装体で使用されている材料を使用することができる。例えば、ニトロセルロース系樹脂、エポキシ系樹脂等によって形成することができる。塗布量は、乾燥後重量で０．５〜５ｇ／ｍ2程度となるようにすれば良い。
【００５９】
アルミニウム箔層
アルミニウム箔層は、公知のＰＴＰ包装体で使用されているものと同様のものを使用することができる。例えば、ＪＩＳ（ＡＡ）の１０００系、８０００系等のアルミニウム箔を使用することができる。これらの中でも、硬質材（Ｈ材）を好適に用いることができる。
【００６０】
アルミニウム箔層の厚みは限定的はでないが、一般的には１０〜５０μｍ程度とすれば良い。
【００６１】
アルミニウム箔層は、基材に形成するほか、必要に応じてカバーフィルムにも形成することができる。
【００６２】
シーラントコート層
シーラントコート層は、蓋材シートと容器用シートとを効果的に積層するために必要に応じて形成することができる。
【００６３】
シーラントコート層は、公知のＰＴＰ包装体で使用されている材料と同様のもので形成することができる。例えば、ポリプロピレン、塩化ビニル−酢酸ビニル系共重合体等の樹脂類を好適に用いることができる。
【００６４】
シーラントコート層の厚みは、通常は乾燥後重量で０．５〜１５ｇ／ｍ2程度となるように設定することが好ましい。包装体製造時のヒートシール条件は、通常１４０〜２６０℃程度で１〜３秒程度である。シール後の断面形状は、連続する凹凸状（ギザギザ状）のメッシュシールとしても良い。
【００６５】
容器用シート
容器用シートは、公知のＰＴＰ包装体で使用されているものと同様にすれば良い。材質としては、例えばポリプロピレン、塩化ビニル等を使用すれば良い。その他のにも、金属箔（例えばアルミニウム箔）の容器、合成樹脂と金属箔とのラミネート容器であっても良い。
【００６６】
これらの材料を用い、熱間真空成形、熱間圧空成形、プラグアシスト成形等により錠剤等の内容物を収容するための収容部を成形する。容器の厚みは限定的ではないが、通常は５０〜１００μｍ程度とすれば良い。
【００６７】
その他
本発明では、これらの層のほかにも、必要に応じてアンカーコート層、薄紙層、アルミニウム、アルミナ、シリカ等の蒸着層、プライマーコート層、遮光層等を設けることもできる。
【００６８】
カバーフィルムを剥がしやすくするために、本発明では、特にカバーフィルムの無接着処理領域にミシン目加工を施すことが望ましい。保護層の材質によっては、包装体のミシン目部の無接着部分のみで保護層を剥離するのが困難な場合もある。この場合、包装体のミシン目部分とは異なる位置に予め保護層にミシン目を入れておけば、包装体をミシン目で分割する際に保護層のみが異なる位置で分割され、そこが「つかみしろ」となる。この場合、ミシン目の形状は、包装体のミシン目に対して、例えば矩形波状、サインカーブのような左右（又は上下）に出入りがあるように設計することもできる。これにより、２つの容器のいずれも剥がしやすくできる。容器側のミシン目（包装体ミシン目）は、収容部（ポケット部）を２個分とり囲むような格子状とすれば良い。上記カバーフィルム側のミシン目の反対側の対応位置に施せば良い。なお、ミシン目に代えて、いわゆるハーフカット等を採用することもできる。
【００６９】
本発明のＰＴＰ包装体の製造方法は、特に制限されず、従来のＰＴＰ包装体の製造方法に従って実施することができる。例えば、図６に示す断面構造をもつ包装体をつくる場合、まずカバーフィルム（ＰＥＴ）に印刷層を形成する。このとき、アクセサリーとしてライン（位置合わせ用ライン）も同時に印刷し、印刷層を形成することもできる。次いで、界面部を形成する。具体的には、剥離コートを印刷ラインの幅位置に合わせて（原反の巻き取り方向と平行になるストライプ状に）コートする。一方、アルミニウム箔上に印刷層を形成する。アルミニウム箔上の印刷層の形成時にもラインを設けても良い。印刷層上にＯＰ層を形成する。その後に、前記の剥離コートとＯＰ層とを接着剤で接着すれば良い。この場合、両者の位置合わせラインをラインセンサー等で検知しながら接着することもできる。その後に、内容物が収容された容器用シートと積層すれば良いが、容器用シートを積層する時期は特に限定されない。
【００７０】
本発明は、蓋材シートも包含する。本発明蓋材シートは、本発明ＰＴＰ包装体（特に実施形態１及び実施形態２）のうち容器用シートを除いた構成である。実施形態２の包装体に対応する本発明蓋材シートとしては、内容物を収容するための収容部が形成された容器用シートにおける当該収容部の蓋材シートであって、
（１）蓋材シートが、アルミニウム箔層を含む基材と剥離可能なカバーフィルムとの積層体であり、
（２）基材とカバーフィルムとの界面部が、ａ）強接着処理領域、ｂ）当該強接着処理領域よりも弱い接着処理が施されている弱接着処理領域及びｃ）接着処理がなされていない非接着処理領域からなる、ことを特徴とする。
【００７１】
本発明の蓋材シートの各構成については、本発明ＰＴＰ包装体の構成と同様にすれば良い。本発明蓋材シートは、ＰＴＰ包装体の製造に好適に使用することができる。例えば、公知の積層方法に従って容器用シートと積層することによってＰＴＰ包装体を作製することができる。
【実施例】
【００７２】
以下に実施例を示し、本発明の特徴を一層明確にする。ただし、本発明の範囲は、これら実施例に限定されるものではない。
（１）各図面中の用語は、それぞれ以下のような対応関係にある。
【００７３】
・ＰＥＴ：ポリエチレンテレフタレート層
・剥離コート：剥離コート層
・接着剤：接着剤層
・ＯＰコート：透明保護層
・印刷：印刷層
・アルミ箔：アルミニウム箔層
・シーラントコート：シーラントコート層
・強接着部：強接着処理領域
・弱接着部：弱接着処理領域
・無接着部：非接着処理領域
・ポケット：収容部
（２）上記（１）の各層の形成は、以下のような材料を用いて実施した。
【００７４】
・アルミ箔（カバーフィルム用）：厚み７μｍ、１Ｎ３０、片ツヤ、軟質
・アルミ箔（基材用）：厚み２０μｍ、１Ｎ３０、片ツヤ、硬質
・ＰＥＴ：ＰＥＴフィルム、製品名「Ｅ５１００」東洋紡績製
・接着剤：２液硬化型ドライラミネート用接着剤、主剤として製品名「ＬＸ−５００」１０重量部、硬化剤として製品名「ＫＷ７５」１重量部（いずれも大日本インキ化学工業製）を用いた。塗布は、グラビアコートにより乾燥後重量３ｇ／ｍ2となる塗布量で実施した。塗布された塗膜を８０℃で乾燥した後、６０℃で接着した。
【００７５】
・ＯＰコート：ニトロセルロース系ＯＰコート剤を使用した。塗布は、グラビアコートにより乾燥後重量１．６ｇ／ｍ2となる塗布量で実施した。塗布された塗膜を１８０℃で乾燥した。
【００７６】
・剥離コート：剥離コート剤として、有機溶剤（メチルエチルケトンと酢酸エチルを１：１の重量比で混合したもの）にアクリル樹脂１７重量％及びワックス２重量％を含む液剤を使用した。塗布は、グラビアコート（＃１７５で版深度３３μｍのグラビア版）により実施した。塗布された塗膜を７０℃で乾燥した。
【００７７】
・シーラントコート：シーラントコート剤としてマレイン化ポリプロピレンを使用した。塗布は、グラビアコートにより乾燥後重量３．５ｇ／ｍ2となる塗布量で実施した。塗布された塗膜を２００℃で乾燥した。
【００７８】
・印刷（アルミ箔上への印刷）：ニトロセルロース系インキを使用した。塗布は、グラビアコート（＃１７５で版深度３３μｍのグラビア版）により実施した。塗布された塗膜を１８０℃で乾燥した。
【００７９】
・印刷（ＰＥＴ上への印刷）：ビニルウレタン系インキを使用した。塗布は、グラビアコート（＃１７５で版深度３３μｍのグラビア版）により実施した。塗布された塗膜を７０℃で乾燥した。
【００８０】
実施例１
図４に示す断面構造を有するＰＴＰ包装体を作製した。図１３には、このＰＴＰ包装体の正面図（平面図；上方から収容部を見た状態。以下同じ。）を示す。
【００８１】
図４に示すように、このＰＴＰ包装体は、ＰＥＴ（１６μｍ）、剥離コート、接着剤、ＯＰコート、印刷、アルミ箔（厚み２０μｍ）、シーラントコート及び容器用シートが順に積層された構成を有する。
【００８２】
この態様では、ＰＥＴがカバーフィルムに該当し、剥離コート及び接着剤が界面部に該当し、ＯＰコート、印刷、アルミ箔及びシーラントコートの積層部が基材に該当する。
【００８３】
実施例２
図５に示す断面構造を有するＰＴＰ包装体を作製した。図１３には、このＰＴＰ包装体の正面図を示す。
【００８４】
図５に示すように、このＰＴＰ包装体は、ＰＥＴ（厚み２５μｍ）、印刷（第１印刷層）、剥離コート、接着剤、ＯＰコート、印刷（第２印刷層）、アルミ箔（厚み２０μｍ）、シーラントコート及び容器用シートが順に積層された構成を有する。
【００８５】
この態様では、ＰＥＴ及び第１印刷層がカバーフィルムに該当し、剥離コート及び接着剤が界面部に該当し、ＯＰコート、第２印刷層、アルミ箔及びシーラントコートの積層部が基材に該当する。カバーフィルムであるＰＥＴを剥離した場合には、第１印刷層はＰＥＴ側に追従する。
【００８６】
実施例３
図６に示す断面構造を有するＰＴＰ包装体を作製した。図１３には、このＰＴＰ包装体の正面図を示す。
【００８７】
図６に示すように、このＰＴＰ包装体は、ＯＰコート、印刷（第１印刷層）、アルミ箔（厚み７μｍ）、接着剤（第１接着剤層）、ＰＥＴ（厚み１６μｍ）、剥離コート、接着剤（第２接着剤層）、ＯＰコート、印刷（第２印刷層）、アルミ箔（厚み２０μｍ）、シーラントコート及び容器用シートが順に積層された構成を有する。
【００８８】
この態様では、ＯＰコート、印刷（第１印刷層）、アルミ箔、接着剤（第１接着剤層）及びＰＥＴがカバーフィルムに該当し、剥離コート及び接着剤（第２接着剤層）が界面部に該当し、ＯＰコート、印刷（第２印刷層）、アルミ箔及びシーラントコートの積層部が基材に該当する。
【００８９】
実施例４
図７に示す断面構造を有するＰＴＰ包装体を作製した。図１４には、このＰＴＰ包装体の正面図を示す。
【００９０】
図７に示すように、このＰＴＰ包装体は、ＰＥＴ（厚み２５μｍ）、印刷（第１印刷層）、剥離コート、接着剤、ＯＰコート、印刷（第２印刷層）、アルミ箔（厚み２０μｍ）、シーラントコート及び容器用シートが順に積層された構成を有する。この構造では、保護シート（カバーフィルム）側及び容器用シート側からそれぞれミシン目（切れ目）が加えられている。
【００９１】
この態様では、ＰＥＴ及び印刷がカバーフィルムに該当し、剥離コート及び接着剤が界面部に該当し、ＯＰコート、印刷（第２印刷層）、アルミ箔及びシーラントコートの積層部が基材に該当する。
【００９２】
実施例５
図８に示す断面構造を有するＰＴＰ包装体を作製した。図１３には、このＰＴＰ包装体の正面図を示す。
【００９３】
図８に示すように、このＰＴＰ包装体は、ＰＥＴ（厚み１２μｍ）、接着剤（第１接着剤層）、印刷（第１印刷層）、ＰＥＴ（厚み１２μｍ）、剥離コート、接着剤（第２接着剤層）、ＯＰコート、印刷（第２印刷層）、アルミ箔（厚み２０μｍ）、シーラントコート及び容器用シートが順に積層された構成を有する。
【００９４】
この態様では、ＰＥＴ、接着剤（第１接着剤層）、印刷（第１印刷層）及びＰＥＴがカバーフィルムに該当し、剥離コート及び接着剤（第２接着剤層）が界面部に該当し、ＯＰコート、印刷（第２印刷層）、アルミ箔及びシーラントコートの積層部が基材に該当する。
【００９５】
実施例６
図９に示す断面構造を有するＰＴＰ包装体を作製した。図１３には、このＰＴＰ包装体の正面図を示す。
【００９６】
図９に示すように、このＰＴＰ包装体は、ＰＥＴ（厚み２５μｍ）、印刷（第１印刷層）、接着剤、剥離コート、ＯＰコート、印刷（第２印刷層）、アルミ箔（厚み２０μｍ）、シーラントコート及び容器用シートが順に積層された構成を有する。
【００９７】
この態様では、ＰＥＴ及び印刷（第１印刷層）がカバーフィルムに該当し、接着剤及び剥離コートが界面部に該当し、ＯＰコート、印刷（第２印刷層）、アルミ箔及びシーラントコートが基材に該当する。
【００９８】
実施例７
図１０に示す断面構造を有するＰＴＰ包装体を作製した。図１３には、このＰＴＰ包装体の正面図を示す。
【００９９】
図１０に示すように、このＰＴＰ包装体は、ＰＥＴ（厚み２５μｍ）、印刷、接着剤、剥離コート、アルミ箔（厚み２０μｍ）、シーラントコート及び容器用シートが順に積層された構成を有する。
【０１００】
この態様では、ＰＥＴ及び印刷がカバーフィルムに該当し、接着剤及び剥離コートが界面部に該当し、アルミ箔及びシーラントコートが基材に該当する。
【０１０１】
実施例８
図７に示す断面構造を有するＰＴＰ包装体を作製した。図１５には、このＰＴＰ包装体の正面図を示す。
【０１０２】
図７に示すように、このＰＴＰ包装体は、ＰＥＴ（厚み２５μｍ）、印刷、剥離コート、接着剤、ＯＰコート、印刷、アルミ箔（厚み２０μｍ）、シーラントコート及び容器用シートが順に積層された構成を有する。この構造では、保護シート（カバーフィルム）側及び容器用シート側からそれぞれミシン目（切れ目）が加えられている。
【０１０３】
この態様では、ＰＥＴ及び印刷がカバーフィルムに該当し、剥離コート及び接着剤が界面部に該当し、ＯＰコート、印刷、アルミ箔（厚み２０μｍ）及びシーラントコートが基材に該当する。
【０１０４】
比較例１
図１１に示す断面構造を有するＰＴＰ包装体を作製した。図１６には、このＰＴＰ包装体の正面図を示す。
【０１０５】
図１１に示すように、このＰＴＰ包装体は、ＰＥＴ（厚み１６μｍ）、剥離コート、接着剤、ＯＰコート、アルミ箔（厚み２０μｍ）、印刷、シーラントコート及び容器用シートが順に積層された構成を有する。
【０１０６】
比較例２
図１２に示す断面構造を有するＰＴＰ包装体を作製した。図１６には、このＰＴＰ包装体の正面図を示す。
【０１０７】
図１２に示すように、このＰＴＰ包装体は、ＰＥＴ（厚み１６μｍ）、着色層、剥離コート、接着剤、ＯＰコート、印刷、アルミ箔（厚み２０μｍ）、シーラントコート及び容器用シートが順に積層された構成を有する。
【０１０８】
試験例１
各実施例及び比較例で得られた包装体について、１）カバーフィルムの剥離が１容器ごとに実施できるかどうか、２）カバーフィルム剥離後の印刷層の視認性、３）カバーフィルムの剥離のしやすさを調べ、４）それらの総合評価を行った。その結果を表１に示す。
【０１０９】
【表１】
2005082179.tif 000002
なお、表１の中の評価は以下のとおり。
【０１１０】
上記１）は、表中に記載。
【０１１１】
上記２）は、◎：カバーフィルムの印刷は剥離後完全にカバーフィルムに追従する。
【０１１２】
○：剥離層に欠陥が無ければ、カバーフィルムの印刷は剥離後完全にカバー                フィルムに追従する。
【０１１３】
×：容器側にカバーフィルムの印刷の一部が取られ、容器側の印刷の視認性                が損なわれる。
【０１１４】
上記３）は、◎：容易に剥離できる    ○：比較的容易に剥離できる。
【０１１５】
上記４）は、○：現行使用されている一般的なＰＴＰ包材に適用できる。
【０１１６】
×：一般的なＰＴＰ包材には適用できない。
【図面の簡単な説明】
【０１１７】
【図１】本発明ＰＴＰ包装体の断面の基本構成を示す図である。
【図２】本発明ＰＴＰ包装体（一例）の正面図（収容部の上から眺めた図）である。
【図３】本発明ＰＴＰ包装体の積層構造の一例を示す図である。
【図４】実施例１で得られたＰＴＰ包装体の断面構造を示す図である。
【図５】実施例２で得られたＰＴＰ包装体の断面構造を示す図である。
【図６】実施例３で得られたＰＴＰ包装体の断面構造を示す図である。
【図７】実施例４又は実施例８で得られたＰＴＰ包装体の断面構造を示す図である。
【図８】実施例５で得られたＰＴＰ包装体の断面構造を示す図である。
【図９】実施例６で得られたＰＴＰ包装体の断面構造を示す図である。
【図１０】実施例７で得られたＰＴＰ包装体の断面構造を示す図である。
【図１１】比較例１で得られたＰＴＰ包装体の断面構造を示す図である。
【図１２】比較例２で得られたＰＴＰ包装体の断面構造を示す図である。
【図１３】実施例１、２、３、５、６又は７で得られたＰＴＰ包装体の正面図である。
【図１４】実施例４で得られたＰＴＰ包装体の正面図である。
【図１５】実施例８で得られたＰＴＰ包装体の正面図である。
【図１６】比較例１又は２で得られたＰＴＰ包装体の正面図である。
【図１】
2005082179.tif 000003
【図２】
2005082179.tif 000004
【図３】
2005082179.tif 000005
【図４】
2005082179.tif 000006
【図５】
2005082179.tif 000007
【図６】
2005082179.tif 000008
【図７】
2005082179.tif 000009
【図８】
2005082179.tif 000010
【図９】
2005082179.tif 000011
【図１０】
2005082179.tif 000012
【図１１】
2005082179.tif 000013
【図１２】
2005082179.tif 000014
【図１３】
2005082179.tif 000015
【図１４】
2005082179.tif 000016
【図１５】
2005082179.tif 000017
【図１６】
2005082179.tif 000018